(57)【要約】  回転シャフトを支持するための軸受が開示される。この軸受は、中央開口部を画成する円筒状ハウジングを含む。複数の軸受パッドがハウジングに一体的に連結され、各軸受パッドは、中央開口部の一部分を画成する円周方向表面を有する。複数のピンが、ハウジング内に画成される穴内に配設され、各ピンは、各対応するパッド用の枢動軸として位置合わせされる。各パッドは、ピンの周りを回転シャフトに対して傾動することができる。各パッドは、パッドの円周方向表面と接線方向の線に実質的に平行な複数の開口部をハウジング内に形成する複数の切り込みによって画成される１対のウェブによってハウジングに連結される。各ピンは、回転パッドと平行に位置合わせされる。【選択図】図１
2010526969.tif 000002
【特許請求の範囲】
【請求項１】
回転シャフトを支持する軸受であって、
中央開口部を画成する円筒状ハウジングと、
前記ハウジングに一体的に連結される複数の軸受パッドであって、各軸受パッドが、前記中央開口部の一部分を画成する円周方向表面を有する軸受パッドと、
前記ハウジング内に画成される穴内に配設される複数のピンであって、各ピンが各対応するパッド用の枢動軸として位置合わせされるピンと、
を備え、各パッドが前記ピンの周りを前記回転シャフトに対して傾動することができる、軸受。
【請求項２】
各パッドが、前記パッドの前記円周方向表面と接線方向の線に対して実質的に平行な複数の開口部を前記ハウジング内に形成する複数の切り込みによって画成される１対のウェブによって前記ハウジングに連結される、請求項１に記載の軸受。
【請求項３】
各ピンが前記回転シャフトと平行に位置合わせされる、請求項１に記載の軸受。
【請求項４】
前記穴が一定の直径を有し、前記ピンが円筒状の長手方向断面を画成し、前記パッドが前記ピンのｘ軸の周りを傾動することができる、請求項１に記載の軸受。
【請求項５】
前記穴が一定の直径を有し、前記ピンが球形の長手方向断面を画成し、前記パッドが前記ピンのｘ軸およびｙ軸の周りを傾動することができる、請求項１に記載の軸受。
【請求項６】
前記穴およびピンが、前記軸受内の応力集中を軽減するように構成される、請求項１に記載の軸受。
【請求項７】
前記穴およびピンが、前記パッドの半径方向中央線からオフセットしている、請求項１に記載の軸受。
【請求項８】
各ウェブが、前記切り込みによって前記ハウジング内に画成されるとき厚さが変わる、請求項２に記載の軸受。
【請求項９】
各開口部内に流体を含み、前記ハウジングを通って延びかつ各開口部と流体連通する流体供給通路をさらに含み、前記流体が前記パッド位置およびパッド減衰特性の能動的制御を可能にする、請求項２に記載の軸受。
【請求項１０】
前記流体が油である、請求項９に記載の軸受。
【請求項１１】
軸受内のシャフト回転を高める方法であって、前記軸受が、
軸受ハウジング内の中央開口部の周りに円周方向に配置される複数の軸受パッドであって、各軸受パッドが、複数のウェブで前記ハウジングに一体的に連結されるパッドと、
前記軸受ハウジング内に画成される穴内に配設される複数のピンであって、各ピンが各対応するパッド用の枢動軸として位置合わせされるピンと
を含み、各パッドが前記ピンの周りを回転シャフトに対して傾動することができるようになっている、軸受内のシャフト回転を高める方法において、
前記軸受内の少なくとも１つのパッド上に加えられる力を判別するステップと、
前記パッド上に加えられる力から前記穴およびピンのうちの１つの変形を判別するステップと、
前記判別された変形に対して補償するように前記穴およびピンのうちの１つを構成するステップと
を含み、前記シャフトの回転が、前記判別された変形によって引き起こされる前記穴およびピンのうちの１つ内の応力集中を軽減させることによって高められる、方法。
【請求項１２】
前記ピンを円筒として構成するステップを含む、請求項１１に記載の方法。
【請求項１３】
前記ピンを球状表面を有して構成するステップを含む、請求項１１に記載の方法。
【請求項１４】
前記軸受パッドのうちの１つと関連する前記ウェブの厚さを変えるステップを含む、請求項１１に記載の方法。
【請求項１５】
前記パッド、前記ウェブおよび前記ハウジングによって画成される隙間内に流体を噴射するステップを含む、請求項１１に記載の方法。
【請求項１６】
前記流体が油である、請求項１５に記載の方法。
【請求項１７】
回転シャフトを受けるように構成される中央開口部を画成するハウジングと、
前記ハウジングに一体的に連結される複数の軸受パッドであって、各軸受パッドが、前記中央開口部の一部分を画成する円周方向表面を有するパッドと、
前記ハウジング内に画成される穴内に配設される複数のピンであって、各ピンが各対応するパッド用の枢動軸として位置合わせされるピンと、
前記回転シャフトに連結されかつ前記軸受パッドと位置合わせされるスラストカラーと、
を備え、各パッドが前記ピンの周りを前記回転シャフトに対して傾動することができる、スラスト軸受。
【請求項１８】
各パッドが、前記シャフトの回転軸に対して実質的に垂直な複数の開口部を前記ハウジング内に形成する複数の切り込みによって画成される１対のウェブによって前記ハウジングに連結される、請求項１７に記載のスラスト軸受。
【請求項１９】
各ピンが前記回転シャフトに対して垂直に位置合わせされる、請求項１７に記載の軸受。
【請求項２０】
前記穴が一定の直径を有し、前記ピンが円筒状の長手方向断面を画成し、前記パッドが前記ピンのｘ軸周りを傾動することができる、請求項１７に記載の軸受。
【請求項２１】
前記穴が一定の直径を有し、前記ピンが球状の長手方向断面を画成し、前記パッドが前記ピンのｘ軸およびｙ軸の周りを傾動することができる、請求項１７に記載の軸受。
【請求項２２】
前記穴が一定でない直径を有し、前記ピンが円筒状の長手方向断面を画成し、前記パッドが前記ピンのＸ軸およびＹ軸の周りを傾動することができる、請求項１７に記載の軸受。
【請求項２３】
各開口部内に流体を含み、前記ハウジングを通って延びかつ各開口部と流体連通する流体供給通路をさらに含み、前記流体が前記パッド位置およびパッド減衰特性の能動的制御を可能にする、請求項１８に記載の軸受。
【請求項２４】
前記流体が油である、請求項２２に記載の軸受。
【発明の詳細な説明】
【技術分野】
【０００１】
関連出願の相互参照
本出願は、２００７年４月１３日出願の「Ｉｎｔｅｇｒａｌ  Ｔｉｌｔｉｎｇ  Ｐａｄ  Ｂｅａｒｉｎｇ」という名称の米国特許出願第１１／７８７，１４６号の利益および優先権を主張し、その全体は参照により本明細書に組み込まれている。
【０００２】
本開示は、一般にパッド型式の軸受の分野に関する。より具体的には、本開示は、一体式の移動可能パッドを有する軸受に関する。この軸受は、静圧移動可能パッド型式の軸受とすることができる。
【背景技術】
【０００３】
動圧軸受は、互いに対して移動している２つの部品の間で移動または「浮遊（ｆｌｏａｔ）」することができる１つまたは複数のパッドを含むことができる。このパッドは一般に、互いに対して移動する２つの部品の間のポケットまたはチャンバ内に閉じ込められている。流体圧力が、パッドを移動部品のうちの１つに向かって押しやるようにパッドに作用する。傾動パッド軸受として知られる軸受では、楔形状の潤滑膜をパッドと移動部品のうちの１つ、例えば回転シャフトとの間に形成できるように、このパッドは枢動することもできる。傾動パッド軸受は、非常に優れた安定特性をもたらすので望ましい。この安定性は、パッドがそれら自体の枢動点周りを枢動するのを可能にすることによってパッドのたすきがけ剛性を減少させることによって部分的に生じる。
【発明の概要】
【発明が解決しようとする課題】
【０００４】
しかしながら、傾動パッド軸受は欠点を有する。傾動パッド軸受は一般に、ハウジングまたはシェル、パッド、およびパッド枢動軸を含む多数の移動部品を含む。これらの部品の各々は、仕上げアセンブリの積み重なった公差を克服し、受け入れ可能なシャフト隙間を生み出すために非常に高度な公差で機械加工しなければならない。そのような欠陥は、傾動パッド軸受の構成部品の各々の材料の選択、設計および製造に対する極めて注意深い配慮を必要とする。
【課題を解決するための手段】
【０００５】
回転シャフトを支持するための軸受が提供される。この軸受は、中央開口部を画成する円筒状ハウジングを含む。この軸受はまた、ハウジングに一体的に連結される複数の軸受パッドを含み、各軸受パッドは、中央開口部の一部分を画成する円周方向表面を有する。この軸受はまた、ハウジング内に画成される穴内に配設される複数のピンを含み、各ピンは、各対応するパッド用の枢動軸として位置合わせされる。各パッドは、ピンの周りを回転シャフトに対して傾動することができる。各パッドは、パッドの円周方向表面と接線方向の線に実質的に平行な複数の開口部をハウジング内に形成する複数の切り込みによって画成される１対のウェブによってハウジングに連結される。各ピンは、回転するパッドと平行に位置合わせされる。
【０００６】
軸受内のシャフト回転を高める方法が提供される。この軸受は、中央開口部を画成する円筒状ハウジングを含む。複数の軸受パッドがハウジングに一体的に連結され、各軸受パッドは、中央開口部の一部分を画成する円周方向表面を有する。複数のピンが、ハウジング内に画成される穴内に配設され、各ピンは、各対応するパッド用の枢動軸として位置合わせされる。各パッドは、ピンの周りを回転シャフトに対して傾動することができる。この方法は、軸受内の少なくとも１つのパッド上に加えられる力を求めるステップと、パッド上に加えられる力から穴およびピンのうちの１つの変形を求めるステップと、この求められた変形に対して補償するように穴およびピンのうちの１つを構成するステップとを含む。シャフトの回転は、この求められた変形によって引き起こされる穴およびピンのうちの１つ内の応力集中を軽減させることによって高められる。
【０００７】
スラスト軸受も提供される。このスラスト軸受は、中央開口部を画成する円筒状ハウジングを含む。このスラスト軸受はまた、ハウジングに一体的に連結される複数の軸受パッドを含み、各軸受パッドは、中央開口部の一部分を画成する円周方向表面を有する。このスラスト軸受はまた、ハウジング内に画成される穴内に配設される複数のピンを含み、各ピンは、各対応するパッド用の枢動軸として位置合わせされる。このスラスト軸受はまた、回転シャフトに連結されかつ軸受パッドと位置合わせされるスラストカラーを含む。各パッドは、ピンの周りを回転シャフトに対して傾動することができる。各パッドは、シャフトの回転軸に対して実質的に垂直な複数の開口部をハウジング内に形成する複数の切り込みによって画成される１対のウェブによってハウジングに連結される。各ピンは、回転シャフトに対して垂直に位置合わせされる。
【図面の簡単な説明】
【０００８】
【図１】支持構造体と一体の傾動パッドを含む軸受の例示的な実施形態の上平面図である。
【図２】支持構造体が２つの部分を含む、図１に図示される軸受の上平面図である。
【図３】図２に図示される軸受構造体の一部分の斜視図である。
【図４】支持構造体内に画成される穴内に位置決めされるピンの周りを回転するように構成される、可変横断面を有するウェブを含む、支持構造体と一体の傾動パッドの図である。
【図５Ａ】傾動パッドが支持構造体内に配設されるピンのｘ軸周りを回転するように構成される、支持構造体と一体の傾動パッドの例示的な実施形態の斜視図である。
【図５Ｂ】ピンと支持構造体内に画成される穴の幾何学的形状を示す、図５に図示される傾動パッドの断面図である。
【図５Ｃ】ピンが支持構造体内の円筒状穴内に配設される球状表面を含み、傾動パッドが支持構造体内に配設されるピンのｘ軸およびｙ軸の周りを回転するように構成される、支持構造体と一体の傾動パッドの断面図である。
【図５Ｄ】傾動パッドが支持構造体内に配設されるピンのｘ軸の周りを回転するように構成される、支持構造体と一体の傾動パッドの例示的な実施形態の斜視図である。このピンは、非円形横断面を有する穴内に受けられる。
【図５Ｅ】ピンと支持構造体内に画成される穴の幾何学的形状を示す、図５Ｄに図示される傾動パッドの断面図である。
【図６】支持構造体がピンを受けるように構成される穴を画成する、支持構造体と一体の傾動パッドの斜視断面図である。
【図７】荷重下にあるとき傾動パッド内の応力集中を軽減するように構成されるピンを含む、支持構造体と一体の傾動パッドの斜視断面図である。
【図８Ａ】支持構造体内で傾動パッドの半径方向中央線上に画成される穴内に位置決めされるピンの周りを回転するように構成される、支持構造体と一体の傾動パッドの図である。
【図８Ｂ】支持構造体内で傾動パッドの半径方向中央線から事前に選択された角度をオフセットする半径方向線上に画成される穴内に位置決めされるピンの周りを回転するように構成される、支持構造体と一体の傾動パッドの図である。
【図９】支持構造体と一体の複数の傾動パッド、スラストカラー、および回転シャフトを含むスラスト軸受の斜視図である。
【図１０Ａ】軸受支持構造体内で長手方向に一体で配設される傾動パッドを含む、図９に図示される軸受の例示的な実施形態の上平面図である。
【図１０Ｂ】２つの一体式傾動パッドを含む、図１０Ａに図示される軸受支持構造体の断面図である。
【図１１Ａ】支持構造体が２つの部分を含む、図９に図示される軸受の上平面図である。
【図１１Ｂ】図１１Ａに図示される軸受の断面図である。
【図１２】支持構造体と一体の、複数の長手方向および半径方向を向いた傾動パッドを含む軸受の例示的な実施形態の上平面図である。
【図１３】支持構造体が２つの部分を含む、図１２に図示される軸受の上平面図である。
【図１４Ａ】支持構造体内に画成される穴内に位置決めされるピンの周りを枢動するように構成される、支持構造体と一体の傾動パッドの例示的な実施形態の図である。
【図１４Ｂ】支持構造体内に画成される穴内に位置決めされるピンの周りを枢動するように構成される、支持構造体と一体の傾動パッドの例示的な実施形態の横断面図である。
【図１５】支持構造体内に画成されるスロット内に配設される油を含み、この油の圧力が傾動パッドの回転速度に比例する力を発生させる、支持構造体と一体の傾動パッドの概略図である。
【発明を実施するための形態】
【０００９】
図１を参照すると、例示的な実施形態による軸受１０が示されている。この軸受１０は、回転シャフト５を半径方向に支持するように構成される全体的に円筒状の物体である。軸受１０は、円筒状ハウジング２０と、外側ハウジング２０に連結される１つまたは複数の軸受パッド４０と、軸受パッド４０とハウジング２０の間に閉じ込められる１つまたは複数のピン５０とを含み、かつその他の構成部品の間に流体を含むことができる。
【００１０】
このハウジング２０（例えば、パッド支持構造体、シェル、等）は、軸受１０の主本体を形成する。ハウジング２０は、回転シャフト５を受ける中央開口部２２を形成する。様々な例示的な実施形態によれば、このハウジング２０は単一の物体であることができ、あるいは図２〜図３に示すように２つ以上のセグメントに分割し、回転シャフト５の周りで一緒に連結することができる。
【００１１】
１つまたは複数の軸受パッド４０（例えば、傾動パッド、回転パッド、等）は、ハウジング２０と一体で形成され、中央開口部２２の周りに半径方向に配置される。各軸受パッド４０は、中央開口部の一部分を画成しかつ回転シャフト５を支持する円周方向表面４２と１対の側壁４３を含む。この側壁４３は、円周方向表面４２に対して実質的に垂直であることができ、あるいは円周方向表面４２に対して角度をつけることもできる。側壁４３が、図８Ａに示すように内向きにある角度βで傾いている場合は、ハウジング２０の幾何学的形状は、軸受パッド４０がハウジング２０から離脱した場合でさえ軸受パッド４０を保持するであろう。この軸受パッド４０は、ハウジング２０に１対の薄い部材またはウェブ４４（例えば、壁、支柱、アーム、等）で連結され、ハウジング２０に対して相対的に移動することができる。軸受パッド４０およびハウジング２０を単一の一元物体として一体的に形成することによって、いくつかの利点がもたらされる。単一の物体によって、別個に機械加工され組み立てられた構成部品を有する軸受で一般に可能であるものより軸受と回転シャフトの間のより密接な公差を実現することが可能になる。このウェブ４４は、軸受パッド４０に選択可能な所定の最小限の回転剛性を与えることによって軸受パッドのフラッターを減少させるのを助ける。ウェブ４４は、軸受パッド４０をハウジング２０内に保持するための機構をさらにもたらす。
【００１２】
例示的な一実施形態によれば、この軸受パッド４０およびウェブ４４は、複数の隙間または切り込み２８によって形成される。ウェブ４４を形成するこの切り込み２８は、軸受パッド４０の円周方向表面４２に対する接線方向の線に対し全体的に平行である。一例示的な実施形態によれば、この軸受は単一の中実物体から形成され、この切り込みは、限定ではなく放電加工（ＥＤＭ）、電解加工（ＥＣＭ）、レーザー切断、高圧水切断、または従来方式の切断を含む任意の適切な方法によって形成することができる。他の例示的な実施形態によれば、この軸受は、鋳造、射出成型、粉末金属金型鋳造、または押し出しなどの、別の方法で形成することができる。
【００１３】
例示的な一実施形態によれば、ハウジング２０内のこの切り込み２８およびウェブ４４は、一般に一定の厚さである。図４を参照すると、かつ別の例示的な実施形態によれば、ウェブ１４４の厚さはウェブ１４４の長さに沿って変化させることができる。ウェブの厚さを変化させることは、所望の軸受パッド剛性を実現し、ウェブ内の応力を最小限にし、かつウェブの疲れ寿命を増加させるために、いくつかの実施形態では望ましい可能性がある。
【００１４】
軸受パッド４０とハウジング２０の間に配設されるこのウェブ４４は、ハウジング２０内に形成される全体的に円筒状の穴２４から外向きに延びる。枢動軸またはピン５０が穴２４内に受けられ、ハウジング２０に対して軸受パッド４０が周りを回転する１つまたは複数の軸をもたらす。この枢動軸５０は、パッド４０の後ろで高い剛性をもたらす細長い部材であり、かつ周りを軸受パッド４０が回転できる単一の軸または複数の軸である。ピン５０の形状は、軸受パッド４０とピン５０の間の点の、点に近い、線のまたは面の接触をもたらすように処理することができる。このピン５０は、所望の剛性に応じて硬化金属または他の材料から形成することができる。
【００１５】
図５Ａおよび図５Ｂに最もよく示すような一例示的な実施形態によれば、このピン５０は、ピン５０の長さに沿って一定の直径を有する円筒状であることができる。ピン５０は全体的に円筒状の穴２４内に受けられる。軸受パッド４０はピン５０のｘ軸５２の周りを回転することができる。
【００１６】
この穴２４は、非円形横断面を有することができる。図８Ａに示すように、穴２４は、軸受パッド４０と対向する第１の部分２４ａおよび軸受パッド４０に近接する第２の部分２４ｂを有することができる。例示的な一実施形態によれば、この第１の部分２４ａは、ピン５０と穴２４の第１の部分２４ａとの間に締まりばめが存在するように、ピン５０の直径以下の直径を有する。第２の部分２４ｂは、軸受パッド４０がピン５０に沿って摺動する代わりにピン５０上で枢動するように、ピン５０の直径より大きな直径を有する。図５Ｄ〜図５Ｅに示すように、第２の部分２４ｂの直径が無限大に近づくとき、それは実質的に平らな表面を形成することができる。
【００１７】
別の例示的な実施形態によれば、かつ図５Ｃに最もよく示すように、このピン１５０は変化する直径および球形の長手方向の横断面を有する。軸受パッド４０は、ピン１５０のｘ軸５２およびピン１５０のｙ軸５４の両方の周りを回転することができる。別の実施形態は、穴の直径がその長さに沿って変化するので、ピンがピンのｘ軸およびｙ軸の周りを傾動することができるようになる、円筒状の、長手方向横断面を画成するピンを有する非一定の穴を提供する。さらに別の例示的な実施形態によれば、図６に最もよく示すように、軸受１０は穴２４内にピンをまったく有さないことができる。穴２４内にピンがまったくない状態で、軸受パッド４０は、ｘ軸５２の周りを回転し、ｙ軸５４の周りを回転し、かつｚ軸５６に沿って平行移動することができる。ピン材料が変化する場合は、ｘ軸に沿った動きは影響される可能性がある。
【００１８】
図７に示すさらに別の例示的な実施形態によれば、軸受１０は、回転シャフト５が軸受パッド２４０を変形させるとき、穴２２４の周りの応力集中を軽減するように構成される穴２２４およびピン２５０を含むことができる。荷重が軸受パッド２４０に加えられるとき、軸受パッドは圧縮される傾向になり、それが穴２２４を平坦化させまたはその他の方法で変形させる。有限要素解析（ＦＥＡ）または別の適切な解析を使用して、この変形形状を予測することができる。直線、卵形、楕円または他の決まりきった形状の代わりに、ピン２５０および穴２２４は、ＦＥＡモデルまたは自由形式の形状に合致するように作りだされる。穴２２４の変形を予想しかつ補償することは、適切なパッド回転および剛性を確実にするのを助ける。
【００１９】
軸受パッド４０の半径方向中央線４６に対する穴２４の位置は、変更することができる。図８Ａを参照すると、かつ一例示的な実施形態によれば、この穴２４は、軸受パッド４０の半径方向中央線４６と全体的に位置合わせして配置される。図８Ｂを参照すると、かつ別の例示的な実施形態によれば、この穴２４は、半径方向中央線４６の角度θより大きな、ある角度γで片側にオフセットして配置することができる。
【００２０】
この穴の配置および形態ならびにこのピンの形態は、軸受内のすべての軸受パッドに対して同じであることができ、または軸受用途に応じて独自のものであることができる。
別の例示的な実施形態によれば、図９〜図１１Ｂに示すように、この軸受は、スラスト軸受３１０であり、回転シャフト５を長手方向に支持することができる。この軸受３１０は、円筒状ハウジング３２０と、外側ハウジング３２０に連結される１つまたは複数の軸受パッド３４０と、軸受パッド３４０とハウジング３２０の間に閉じ込められる１つまたは複数のピン３５０と、ハウジング３２０と位置合わせされかつスラストカラー３６０とハウジング３２０の間に軸受パッド３４０を閉じ込めるスラストカラー３６０とを含み、かつ他の構成部品間に流体を含むことができる。
【００２１】
この主ハウジングは、回転シャフト５を受けるように構成される中央開口部３２２を画成する全体的に円筒状の物体である。軸受パッド３４０は、ハウジング３２０の面のうちの１つに設けられ、スラストカラー３６０を支持する。軸受パッド３４０は軸受パッド４０と類似し、中央開口部３２２の一部分を画成する円周方向面３４２を含む。この軸受パッド３４０は、ハウジング３２０内で複数の切り込み３２８によって画成される１対のウェブ３４４で主ハウジング３２０に連結される。様々な例示的な実施形態によれば、このハウジング３２０は図９〜図１０Ｂに示すような単一の物体であることができ、あるいは図１１Ａ〜図１１Ｂに示すように２つ以上のセグメントに分割し、回転シャフト５の周りで互いに連結することができる。ピン３５０はハウジング３２０内に形成される穴３２４内に受けられ、中央開口部３２２によって受けられる回転シャフト５に対して全体的に垂直に向けられる。
【００２２】
他の例示的な実施形態によれば、この軸受４１０は、スラストとラジアルの組合せ軸受であることができ、かつ回転シャフト５を半径方向に支持する第１のセットの軸受パッド４４０および回転シャフト５を長手方向に支持する第２のセットの軸受パッド４４１を有することができる。軸受パッド４４０および４４１は、ハウジング４２０と共に単一の一元物体として一体で形成される。このハウジング４２０は図１２に示すように単一の物体であることができ、あるいは図１３に示すように２つ以上のセグメントに分割することができる。
【００２３】
この軸受パッドは、４つの側面を有する形態であることができ、あるいは他の変更された形状を有することができる。図１４Ａに示すように、ハウジング５２０に連結されるこの軸受パッド５４０は６角形の形状を有することができる。軸受パッド６４０は、図１４Ｂに示すように、段付きのウェブ６４４でハウジング６２０に連結することができる。
【００２４】
上記で説明した軸受のどれも、動圧軸受（例えば、浸漬潤滑、指向性潤滑、静圧支持機構、等）に共通な属性を含むことができる。図１５に示すように、油または別の流体、例えば潤滑動圧軸受に使用されるプロセス流体を、軸受パッドおよびウェブを形成する切り込み内に迂回させ、供給し、または閉じ込めることができる。この流体、例えば油は、軸受のハウジング内に画成される導管を介して切り込みに送られ、この導管は流体源と流体連通しており、かつこの切り込みはハウジング内によく知られた方法によって形成される。この油は軸受パッドがピンの周りを回転するとき圧縮され、それが圧縮された切り込み内の油の圧力を増加させる。この増加した圧力が軸受パッドを回転させる力に対向する、かつ回転シャフトの回転速度に比例する減衰力を生じさせる。この減衰力は、さらにパッドのフラッターを減少させる。
【００２５】
図に示す実施形態は、単一の物体または単一の物体から形成される２つの半体として一般に示される軸受を図示するけれども、多くの変形形態が可能であることを理解すべきである。他の例示的な実施形態によれば、この軸受は一緒に連結されるまたは締め付けられる材料の組合せから形成することができる。この軸受材料は、金属、プラスチック、木材、複合材料、焼結粉体金属、自己潤滑材料、または任意の他の適切な材料であることができる。
【００２６】
この開示の目的のために、用語「連結される（ｃｏｕｐｌｅｄ）」は、（電気的または機械的な）２つの構成部品を直接的にまたは間接的に互いに結び付けることを意味する。そのような結び付けは、事実上静的なものあるいは事実上移動可能なものであることができる。そのような結び付けは、（電気的または機械的な）２つの構成部品と、互いにまたは２つの構成部品によってまたは互いに取り付けられるこの２つの構成部品と任意の追加の部材によって単一の一元物体として一体的に形成される、任意の追加の中間部材とによって実現することができる。そのような結び付けは、事実上永久的なものであることができ、あるいは別法として事実上取り外し可能または解放可能であることができる。
【００２７】
図でこの軸受を説明することによって、図に存在する可能性があるどのような限定もこの軸受に課されると解釈すべきではない。この軸受は、その動作を実施するための任意の機械読み取り可能な媒体上の方法、システムおよびプログラム製品も企図している。この軸受の実施形態は、既存のコンピュータプロセッサを使用して、またはこのまたは別の目的のために組み込まれた特定の目的のコンピュータプロセッサ、またはハードウェアに組み込まれているシステムによって実施することができる。
【００２８】
この軸受の実施形態の前述の説明は、例示および説明のために提示されてきている。それは網羅的であることまたはこの軸受を開示された正確な形態に限定するためではなく、上記の教示に照らして改変および変形形態が可能である。この実施形態は、当業者が様々な実施形態でかつ企図された具体的な使用に適した様々な改変でこの軸受を利用するように、含まれる原理およびその実際的な用途を明らかにするために示されかつ説明された。
【００２９】
好ましい実施形態および他の例示的な実施形態に示すようなこの軸受の要素の構造および配置は、例示にしかすぎないことに言及することも重要である。この開示では本発明のいくつかの実施形態しか詳細に説明しなかったけれども、この開示を再検討する当業者は、列挙された主題の新規な教示および利点から実質的に逸脱することなく、多くの改変（例えば、様々な要素のサイズ、寸法、構造、形状および比率、パラメータの値、搭載配置、材料の使用、色彩、向きなどの変更）が可能であることを容易に理解するであろう。例えば、一体的に形成されるものとして示されている要素を複数の部品から構築することもでき、あるいは複数の部品として示されている要素を一体的に形成することもでき、接合部分（例えばクランプなど）の動作を逆にしたりその他の方法で変更したりすることもでき、このシステムの構造体および／または部材または接続具または他の要素の長さおよび幅を変更することもでき、要素間に設けられる調整位置の性質や数を（例えば、係合スロットの数または係合スロットのサイズまたは係合の種類の変更によって）変更することもできる。このシステムの要素および／またはアセンブリは、十分な強度または耐久性を与える多種多様な材料のいずれかから、任意の多種多様な色彩、組織各々が組合せで構築することができることに留意すべきである。したがって、すべてのそのような改変は、本発明の軸受の範囲内に含まれるものとする。他の置き換え、改変、変更および省略を、好ましい実施形態および他の例示的な実施形態の設計、動作条件および配置で行うことができる。
【図１】
2010526969.tif 000003
【図２】
2010526969.tif 000004
【図３】
2010526969.tif 000005
【図４】
2010526969.tif 000006
【図５Ａ】
2010526969.tif 000007
【図５Ｂ】
2010526969.tif 000008
【図５Ｃ】
2010526969.tif 000009
【図５Ｄ】
2010526969.tif 000010
【図５Ｅ】
2010526969.tif 000011
【図６】
2010526969.tif 000012
【図７】
2010526969.tif 000013
【図８Ａ】
2010526969.tif 000014
【図８Ｂ】
2010526969.tif 000015
【図９】
2010526969.tif 000016
【図１０Ａ】
2010526969.tif 000017
【図１０Ｂ】
2010526969.tif 000018
【図１１Ａ】
2010526969.tif 000019
【図１１Ｂ】
2010526969.tif 000020
【図１２】
2010526969.tif 000021
【図１３】
2010526969.tif 000022
【図１４Ａ】
2010526969.tif 000023
【図１４Ｂ】
2010526969.tif 000024
【図１５】
2010526969.tif 000025